(57)【要約】【課題】構成が簡素で耐久性に優れ、操作性、コンパクト化、経済性に優れた携帯用メガネを提供する。【解決手段】携帯用メガネが、１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、２）．前記メガネフレーム（１）の前記鞘部（２）の開口部（２ａ）からの引出し方向にみて、前記メガネフレーム（１）のスライド辺（１１）が後端部側に係止部（１２）を有するもので構成され、かつ、前記鞘部（２）の案内辺（２１）が開口部（２ａ）側近傍に前記メガネフレーム（１）の係止部（１２）に係止する係止部（２２）を有するもので構成される、ことを特徴とする携帯用メガネ。【選択図】  図８
2004226866.tif 000002
【特許請求の範囲】
【請求項１】
携帯用メガネが、
１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、
２）．前記メガネフレーム（１）の前記鞘部（２）の開口部（２ａ）からの引出し方向にみて、前記メガネフレーム（１）のスライド辺（１１）が後端部側に係止部（１２）を有するもので構成され、かつ、前記鞘部（２）の案内辺（２１）が開口部（２ａ）側近傍に前記メガネフレーム（１）の係止部（１２）に係止する係止部（２２）を有するもので構成される、
ことを特徴とする携帯用メガネ。
【請求項２】
メガネフレーム（１）の上下スライド辺（１１、１１）の少なくとも一方が係止部（１２）を有するもので構成されるとともに、鞘部（２）の案内辺（２１、２１）の少なくとも一方が係止部（２２）を有するもので構成され、メガネフレーム（１）が鞘部（２）から引出されたとき前記係止部（１２）と係止部（２２）との係止によりメガネフレーム（１）と鞘部（２）が係止固定される請求項１に記載の携帯用メガネ。
【請求項３】
携帯用メガネが、
１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、
２）．前記メガネフレーム（１）の前記鞘部（２）からの引出し方向にみて、前記メガネフレーム（１）が後端部にスライドノブ（１４）を配設したもので構成され、かつ、前記鞘部（２）がその一側面に前記メガネフレーム（１）に配設したスライドノブ（１４）をスライド方向に案内するスライド溝（２３）を配設したもので構成される、
ことを特徴とする携帯用メガネ。
【請求項４】
携帯用メガネが、
１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、
２）．前記メガネフレーム（１）の前記鞘部（２）からの引出し方向にみて、前記メガネフレーム（１）のスライド辺（１１）が後端部側に係止部（１２）、及び、前記係止部（１２）より更に後端部側を先細りした回転止部（１３）を有するもので構成され、かつ、前記鞘部（２）の案内辺（２１）が開口部（２ａ）側近傍に前記メガネフレーム（１）の係止部（１２）に係止する係止部（２２）を有するもので構成される、
ことを特徴とする携帯用メガネ。
【請求項５】
メガネフレーム（１）が鞘部（２）から引出されたとき、メガネフレーム（１）のスライド辺（１１）の係止部（１２）と鞘部（２）の案内辺（２１）の係止部（２２）との係止により、及び、メガネフレーム（１）の回転止部（１３）の外壁部と鞘部（２）の他の案内辺（２１）との当接により、メガネフレーム（１）と鞘部（２）が係止固定される請求項４に記載の携帯用メガネ。
【請求項６】
メガネフレーム（１）の中心を通る線分と鞘部（２）の中心を通る線分の交角が、３０〜６０℃である請求項４に記載の携帯用メガネ。
【請求項７】
携帯用メガネ（Ａ）は、
１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、
２）．前記メガネフレーム（１）の前記鞘部（２）からの引出し方向にみて、前記メガネフレーム（１）が、後端部側にスライドノブ（１４）を配設したもので構成され、かつ、
３）．前記鞘部（２）が、一側面に前記メガネフレーム（１）に配設したスライドノブ（１４）をメガネフレーム（１）を引出し方向に所望の位置まで直進させる直線状溝（２３）と前記所望の位置まで引き出されたメガネフレーム（１）を開口部（２ａ）において鞘部（２）に対して所望の角度となるように案内する前記直線状溝（２３）に対して所望の角度をもつ傾斜溝（２４）を配設して構成される、
ことを特徴とする携帯用メガネ。
【請求項８】
メガネフレーム（１）が鞘部（２）から引出されたとき、メガネフレーム（１）の後端部側に配設したスライドノブ（１４）と傾斜溝（２４）によりメガネフレーム（１）と鞘部（２）が係止固定される請求項７に記載の携帯用メガネ。
【請求項９】
メガネフレーム（１）の中心を通る線分と鞘部（２）の中心を通る線分の交角が、３０〜６０°である請求項７に記載の携帯用メガネ。
【発明の詳細な説明】
【０００１】
【発明の属する技術分野】
本発明は、携帯用メガネに関する。
更に詳しくは、本発明は、鞘部に対してメガネ部が進退スライド自在に収納でき、前記鞘部を把持するタイプのコンパクト化、操作性に優れる携帯用メガネに関する。
【０００２】
この種の携帯用メガネとしては、従来より種々のものが提案されている。
例えば、実公平４−２２３２７号公報には、左右一対のレンズを有するフロント枠部材、前記フロント枠部材の両側にそれぞれがヒンジ連結された一対のテンプル部材であって、かつ、各テンプル部材は前記ヒンジによりフロント枠部材と面一になるように回動されて前記フロント枠部材の半分の領域を進退スライド自在に収納する一対のテンプル部材、前記一対の各テンプル部材内に引出し、引込み自在に前記各テンプル部材に装着された耳掛ロッドから構成される携帯用メガネが提案されている。
【０００３】
【発明が解決しようとする課題】
前記したものを含めて従来の携帯用メガネは、構成が複雑であり、メガネの使用時に操作性や利便性に欠けるものである。
例えば、頻繁にメガネ（視力矯正用の近視、遠視用メガネ、サングラスなど）を装着して対象物を観察したい場合など、前記した実公平４−２２３２７号に提案のものは両手でかなり複雑な操作が必要であり、簡便性、利便性に欠ける。
【０００４】
本発明は、前記した従来の携帯用メガネの欠点に鑑み創案されたものである。
本発明者は、携帯用メガネの操作簡便性、利便性を向上させるべく鋭意検討した。その結果、本発明者は、携帯用メガネを、左右一対のレンズを有するメガネフレームとその一側に鞘部を配設するとともに、前記メガネフレームを鞘部に対して同一平面内で進退スライド自在に収納させ、かつ、鞘部を把持することにより観察対象物を観察するように構成したとき、前記したニーズに答えられたことを見い出した。
【０００５】
本発明は前記した知見をベースにして完成されたものである。
本発明により、構成が簡素であるとともに耐久性に優れ、かつ、ワンタッチの操作性、コンパクト性などの利便性に優れる携帯用メガネが提供される。
【０００６】
【課題を解決するための手段】
本発明を概説すれば本発明の第一の発明は、携帯用メガネが、
１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、
２）．前記メガネフレーム（１）の前記鞘部（２）の開口部（２ａ）からの引出し方向にみて、前記メガネフレーム（１）のスライド辺（１１）が後端部側に係止部（１２）を有するもので構成され、かつ、前記鞘部（２）の案内辺（２１）が開口部（２ａ）側近傍に前記メガネフレーム（１）の係止部（１２）に係止する係止部（２２）を有するもので構成される、
ことを特徴とする携帯用メガネに関するものである。
【０００７】
本発明の第二の発明は、前記第一の発明をベースにして、メガネフレーム（１）を進退スライド自在に鞘部に収納または引出す機構を、メガネフレーム（１）の後端部にスライドノブ（１４）を配設するとともに、鞘部（２）に前記スライドノブ（１４）をスライド自在に案内するスライド溝（２３）を配設し、前記スライドノブ（１４）を把持してメガネフレーム（１）を進退スライド自在に構成した携帯用メガネに関するものである。
【０００８】
本発明の第三の発明は、前記第一の発明をベースにして、メガネフレーム（１）を鞘部から引出したとき、メガネフレーム（１）と鞘部（２）の配置関係が前記第一〜第二の発明の水平の配置関係ではなく、両部材が所望の角度をもったもの、即ち、メガネフレーム（１）の中心を通る線分と鞘部（２）の中心を通る線分との交角を所望の角度に保持するように構成した携帯用メガネに関するものである。
【０００９】
以下、本発明の技術的構成及び実施態様について図面を参照して詳しく説明する。
なお、本発明は、図面に示されたものに限定されないことはいうまでもないことである。
【００１０】
図１〜図３は、本発明の携帯用メガネ（Ａ）の第一実施態様を説明する図である。
図１は携帯用メガネ（Ａ）の平面図、図２は前記図１のＸ矢視図、図３は本発明の第一実施態様の携帯用メガネ（Ａ）の使用態様を説明する図である。
【００１１】
本発明の第一実施態様の携帯用メガネ（Ａ）は、図示されるように、
１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、
２）．前記メガネフレーム（１）の前記鞘部（２）の開口部（２ａ）からの引出し方向にみて、前記メガネフレーム（１）のスライド辺（１１）が後端部側に係止部（１２）を有するもので構成され、かつ、前記鞘部（２）の案内辺（２１）が開口部（２ａ）側近傍に前記メガネフレーム（１）の係止部（１２）に係止する係止部（２２）を有するもので構成される。
【００１２】
前記した構成から成る本発明の第一実施態様の携帯用メガネ（Ａ）は、図３に示されるように、使用に際して、使用者は鞘部（２）を把持し、メガネフレーム（１）を鞘部（２）から引出せばよい。引出しにより図示されるようにメガネフレーム（１）の係止部（１２）と鞘部（２）の係止部（２２）が係合し、この位置でメガネフレーム（１）は鞘部（２）に対して略水平方向に保持されることになる。
なお、図示されるようにメガネフレーム（１）の水平保持には、開口部（２ａ）近傍上部でのメガネフレーム（１）の上辺スライド辺（１１）と鞘部（２）の対向する上辺案内辺（２１）との当接も関係するため、これを確実にするために前記両者の係止部（１２、２２）の大きさや強度などが設定されるべきである。
【００１３】
本発明の前記第一実施態様の携帯用メガネ（Ａ）は、例えば、以下に示すような種々の変形例が可能である。
１）．鞘部（２）に対するメガネフレーム（１）の収納・引出し方向を図１に示される左方向にかえて右方向にする。
２）．例えば、図示しないが、メガネフレーム（１）の上下スライド辺（１１、１１）の両方に係止部（１２、１２）を配設し、かつ、鞘部（２）の開口部（２ａ）近傍の上下案内辺（２１、２１）の両方に係止部（２２、２２）を配設し、メガネフレーム（１）が鞘部（２）から引出されたとき、鞘部（２）の開口部（２ａ）近傍において、前記上下スライド辺（１１、１１）の係止部（１２、１２）と前記案内辺（２１、２１）の係止部（２２、２２）を相互に係合させることによりメガネフレーム（１）を鞘部（２）に対して略水平方向に保持してもよい。
３）．図１に示されるように、メガネフレーム（１）の前端部（１ｂ）を把持して引出しやすいようにツマミ部、凸部などを配設した所望形態のものにしてもよい。
４）．第一実施態様の携帯用メガネ（Ａ）においては、図示されるように、鞘部（２）の左側に開口部（２ａ）を有するものであるが、これに加えて右側に所望の大きさの開口部を配設してもよい。このような開口部は、後述する実施態様においても同様に配設してもよい。なお、前記した右側に開口部を配設する変形例において、メガネフレーム（１）の右方向への鞘部（２）からの抜けを防止するために、所望のストッパーを配設しなければならないことはいうまでもないことである。
前記した変形例は、右側に配設した開口部を利用して鞘部（２）内部を清掃する上で、例えば洗浄液で洗浄する上で便利なものである。
【００１４】
図４〜図６は、本発明の携帯用メガネ（Ａ）の第二実施態様を説明する図である。
図４は携帯用メガネ（Ａ）の平面図、図５は前記図４のＩ−Ｉ線断面図、図６は本発明の第二実施態様の携帯用メガネ（Ａ）の使用態様を説明する図である。
【００１５】
本発明の第二実施態様の形態用メガネ（Ａ）は、図示されるように、
１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、
２）．前記メガネフレーム（１）の前記鞘部（２）からの引出し方向にみて、前記メガネフレーム（１）が後端部にスライドノブ（１４）を配設したもので構成され、かつ、前記鞘部（２）がその一側面の略中央部に前記メガネフレーム（１）に配設したスライドノブ（１４）をスライド方向に案内するスライド溝（２３）を配設したもので構成される。
【００１６】
前記した構成からなる本発明の第二実施態様の携帯用メガネ（Ａ）は、図６に示されるように、使用に際して、使用者は鞘部（２）を把持するとともにメガネフレーム（１）の後端部に配設され、かつ、鞘部（２）の長穴、即ちスライド溝（２３）を通してその前面部に突出するように配設されたスライドノブ（１４）（図５参照）をつまんでメガネフレーム（１）を引出し方向に移動させればよい。
スライドノブ（１４）は、スライド溝（２３）に案内されて、メガネフレーム（１）を引出し方向に移動し、スライド溝（２３）の終端部（２３１）まで移動し、この位置でメガネフレーム（１）は鞘部（２）に対して略水平方向に保持され、使用可能な状態となる。
【００１７】
図７〜図８は、本発明の携帯用メガネ（Ａ）の第三実施態様を説明する図である。
図７は携帯用メガネ（Ａ）の平面図、図８は本発明の第三実施態様の携帯用メガネ（Ａ）の使用態様を説明する図である。
【００１８】
本発明の第三実施態様の携帯用メガネ（Ａ）は、図示されるように、
１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、
２）．前記メガネフレーム（１）の前記鞘部（２）からの引出し方向にみて、前記メガネフレーム（１）のスライド辺（１１）が後端部側に係止部（１２）、及び、前記係止部（１２）より更に後端部側を先細りした回転止部（１３）を有するもので構成され、かつ、前記鞘部（２）の案内辺（２１）が開口部（２ａ）側近傍に前記メガネフレーム（１）の係止部（１２）に係止する係止部（２２）を有するもので構成される。
【００１９】
前記した構成から成る本発明の第三実施態様の携帯用メガネ（Ａ）は、図８に示されるように、使用に際して、使用者は鞘部（２）を把持するとともにメガネフレーム（１）を鞘部（２）から引出せばよい。引出しにより、図示されるように鞘部（２）の開口部（２ａ）近傍の部位においてメガネフレーム（１）の係止部（１２）と鞘部（２）の係止部（２２）が係合するため、かつ、前記メガネフレーム（１）の前記先細りに形成した回転止部（１３）により、その外壁部（１３１）と鞘部（２）の上辺案内辺（２１）が当接する配置関係になるため、メガネフレーム（１）は安定して鞘部（２）に保持される。
そして、メガネフレーム（１）は、前記回転止部（１３）の所望の先細り部の形状によって、図８に示されるようにメガネフレーム（１）の中心を通る線分（ａ−ａ）と鞘（２）の中心を通る線分（ｂ−ｂ）の交角（θ）は所望の角度となり、メガネフレーム（１）は鞘部（２）に対して所望の角度をもって鞘部（２）に固定保持されることになる。
【００２０】
本発明において、前記交角（θ）は、メガネによる観察対象物のみやすさなどを考慮して所望に設定すればよく、一般的には３０〜６０°が好ましい。
本発明において、前記回転止部（１３）の形状、外壁部（１３１）の形状は、図８の直線状でなくても円弧状であってもよい。なお、外壁部（１３１）の形状が直線状のものは、鞘部（２）の上辺案内辺（２１）と面当接するため、メガネフレーム（１）は鞘部（２）に対してより安定して保持されることになる。
【００２１】
図９〜図１０は、本発明の携帯用メガネ（Ａ）の第四実施態様を説明する図である。
図９は携帯用メガネ（Ａ）の平面図、図１０は本発明の第四実施態様の携帯用メガネ（Ａ）の使用態様を説明する図である。
【００２２】
本発明の第四実施例の携帯用メガネ（Ａ）は、前記第二実施態様（図４〜図６参照）と第三実施態様（図７〜図８参照）を組合わせた形式のものであるということができる。
【００２３】
本発明の第四実施態様の携帯用メガネ（Ａ）は、
１）．所望の厚みを有するとともに平面が略矩形状で左右のメガネレンズ（１ａ、１ａ）を有し、かつ、上下にスライド辺（１１、１１）を有するメガネフレーム（１）と、片サイドに開口部（２ａ）を有し、かつ、前記メガネフレーム（１）の上下スライド辺（１１、１１）をスライド自在に案内する前記上下スライド辺（１１、１１）に対向配置する案内辺（２１、２１）を有する中空状の鞘部（２）、とで構成されるとともに、
２）．前記メガネフレーム（１）の前記鞘部（２）からの引出し方向にみて、前記メガネフレーム（１）が、後端部側にスライドノブ（１４）を配設したもので構成され、かつ、
３）．前記鞘部（２）が、側面に前記メガネフレーム（１）に配設したスライドノブ（１４）をメガネフレーム（１）を引出し方向に所望の位置まで直進させる直線状溝（２３）と前記所望の位置まで引出されたメガネフレーム（１）を開口部（２ａ）において鞘部（２）に対して所望の傾斜角度となるように案内する前記直線状溝（２３）に対して所望の角度をもつ直線状の傾斜溝（２４）を配設して構成されるものである。なお、図中、参照番号（２１１）は、下側案内辺（２１）の開口部（２ａ）側端部に設けた切欠部を示している。
【００２４】
本発明の第四実施態様の携帯用メガネ（Ａ）は、前記した技術的構成により、図示されるようにメガネフレーム（１）を鞘部（２）の直線状溝（２３）及び直線状の傾斜溝（２４）に沿って引き出すことにより、図１０に示されるように開口部（２ａ）において両者は所望の交角（θ）をもって係止固定される。
即ち、図示されるように、メガネフレーム（１）の後端部側に設けたスライドノブ（１４）の傾斜溝（２４）への押圧、及び、好ましくはメガネフレーム（１）の鞘部（２）の案内片（２１）との当接により、両者は安定して係止固定される。
前記交角（θ）、即ち、メガネフレーム（１）の中心を通る線分（ａ）と鞘部（２）の中心を通る線分（ｂ）との交角（θ）は、所望に設定すればよく、例えば３０〜６０°に設定すればよい。
なお、前記交角（θ）は、傾斜溝（２４）の中でのスライドノブ（１４）の位置関係により所望に設定することができるものである。
【００２５】
前記第四実施例において、種々の変形例が可能である。例えば、直線状の傾斜溝（２４）に変えて湾曲状の傾斜溝（２４）としてもよい。
また、切欠部（２１１）を特段に設けなくてもよい。
【００２６】
【発明の効果】
本発明により従来の携帯用メガネの欠点を解消し、構成が簡素であるとともに耐久性に優れ、かつ、ワンタッチの操作性、コンパクト化などの利便性に優れた携帯用メガネが提供される。
【図面の簡単な説明】
【図１】本発明の第一実施態様の携帯用メガネ（Ａ）の平面図である。
【図２】図１のＸ矢視図である。
【図３】本発明の第一実施態様の携帯用メガネ（Ａ）の使用態様を説明する図である。
【図４】本発明の第二実施態様の携帯用メガネ（Ａ）の平面図である。
【図５】図４のＩ−Ｉ線断面図である。
【図６】本発明の第二実施態様の携帯用メガネ（Ａ）の使用態様を説明する図である。
【図７】本発明の第三実施態様の携帯用メガネ（Ａ）の平面図である。
【図８】本発明の第三実施態様の携帯用メガネ（Ａ）の使用態様を説明する図である。
【図９】本発明の第四実施態様の携帯用メガネ（Ａ）の平面図である。
【図１０】本発明の第四実施態様の携帯用メガネ（Ａ）の使用態様を説明する図である。
【符号の説明】
Ａ          …………  本発明の携帯用メガネ
１          …………  メガネフレーム
１ａ、１ａ  …………  メガネレンズ
１１、１１  …………  （上下）スライド辺
１２        …………  係止部
１３        …………  回転止部
１３１      …………  回転止部の外壁部
１４        …………  スライドノブ
２          …………  鞘部
２ａ        …………  開口部
２１、２１  …………  （上下）案内辺
２２        …………  係止部
２３        …………  直線状溝
２４        …………  傾斜溝
【図１】
2004226866.tif 000003
【図２】
2004226866.tif 000004
【図３】
2004226866.tif 000005
【図４】
2004226866.tif 000006
【図５】
2004226866.tif 000007
【図６】
2004226866.tif 000008
【図７】
2004226866.tif 000009
【図８】
2004226866.tif 000010
【図９】
2004226866.tif 000011
【図１０】
2004226866.tif 000012